(57)【要約】【課題】交換作業を容易に行え、施工性のよい照明装置を得ることを目的とする。【解決手段】照明器具本体１と、この照明器具本体１の一方の端部に装着され、蛍光灯２に電力を供給する口金接触部６を有する第１のランプソケット３ａと、照明器具本体１の他方の端部に第１のランプソケット３ａに対向するように装着され、蛍光灯２に電力を供給する口金接触部６を有する第２のランプソケット３ａと、第１のランプソケット３ａと第２のランプソケット３ａとを結ぶ直線上に装着され、両面に蛍光灯２に電力を供給する口金接触部６を有する両面ランプソケット４ａとを備えた。【選択図】        図１
2004355952.tif 000002
【特許請求の範囲】
【請求項１】
照明器具本体と、
この照明器具本体の一方の端部に装着され、蛍光灯に電力を供給する口金接触部を有する第１のランプソケットと、
前記照明器具本体の他方の端部に前記第１のランプソケットに対向するように装着され、蛍光灯に電力を供給する口金接触部を有する第２のランプソケットと、
前記第１のランプソケットと前記第２のランプソケットとを結ぶ直線上に装着され、両面に蛍光灯に電力を供給する口金接触部を有する両面ランプソケットと、
を備えたことを特徴とする照明装置。
【請求項２】
前記両面ランプソケットは、
前記照明器具本体に取り付けられるランプソケット取付台座と、このランプソケット取付台座に口金接触部を有する面と反対側の面を対向させて取り付けた２つのランプソケットとから構成されることを特徴とする請求項１記載の照明装置。
【請求項３】
前記２つのランプソケットは、前記ランプソケット取付台座に取り付けるための複数の取付部材を左右非対象な位置に備えたことを特徴とする請求項２記載の照明装置。
【請求項４】
前記両面ランプソケットは、
側面形状を略Ｌ字状に形成し脚部に前記照明器具本体への取付部を有する２つのランプソケットから構成され、口金接触部を有する面と反対側の面を互いに隣接させて前記照明器具本体に取り付けたものであることを特徴とする請求項１記載の照明装置。
【請求項５】
前記両面ランプソケットは、
両面に口金接触部を有する一体のランプソケットであることを特徴とする請求項１記載の照明装置。
【請求項６】
前記両面ランプソケットを１つ取り付け、前記第１のランプソケットの口金接触部と前記両面ランプソケットの前記第１のランプソケットに対向する側の口金接触部との間、及び前記第２のランプソケットの口金接触部と前記両面ランプソケットの他方の口金接触部との間に蛍光灯を配置するようにしたことを特徴とする請求項１乃至請求項５記載の照明装置。
【請求項７】
前記両面ランプソケットを２つ以上取り付け、対向する口金接触部間にそれぞれ蛍光灯を配置するようにしたことを特徴とする請求項１乃至請求項５記載の照明装置。
【請求項８】
略直線上に配置された第１のランプソケットと両面ランプソケットと第２のランプソケットとから構成されるランプソケット列を複数並行に設けたことを特徴とする請求項１乃至請求項７記載の照明装置。
【請求項９】
前記両面ランプソケットは、前記第１のランプソケットと前記第２のランプソケットとを結ぶ直線上を、スライド可能としたことを特徴とする請求項１乃至請求項８記載の照明装置。
【発明の詳細な説明】
【０００１】
【発明の属する技術分野】
本発明は複数の蛍光灯を取り付ける照明装置に関するものである。
【０００２】
【従来技術】
従来の照明装置は、照明器具本体の両端に設けられた一組のランプソケットで棒状の長い蛍光灯の口金を挟み込むことによって蛍光灯を固定していた。また、長く、重さのある蛍光灯を固定するために、蛍光灯の口金を支えるランプソケット以外にランプフォルダを照明器具本体に備えていた。（例えば、特許文献１参照。）
また、連結形蛍光灯照明器具として、複数の照明器具の反射板または照明器具本体を連結金具を用いて連結していた。（例えば、特許文献２、特許文献３参照。）
【０００３】
【特許文献１】
実開平４−５０１５号公報（図１、図３）
【特許文献２】
特開平１１−２５７３８号公報（図２〜図５）
【特許文献３】
特開平９−１８０５３１号公報（図３、図５、図９）
【０００４】
【発明が解決しようとする課題】
しかしながら、従来の照明装置のランプソケットから長く重さのある蛍光灯を取り外すまたは取り付ける作業を一人で行なうのは困難であった。そのため、照明装置が高所に取り付けられ、特に長い蛍光灯が好まれて使われる店舗あるいは工場などでは複数人での交換作業が強いられていた。
【０００５】
また、連結形蛍光灯照明器具は複数の照明器具を取り付ける際それぞれの照明器具間に隙間ができ、また天井に取り付ける照明器具の台数が多くなり、施工性に劣っていた。
【０００６】
本発明はこのような問題点を解決するためになされたものであり、交換作業を容易に行え、施工性のよい照明装置を得ることを目的とする。
【０００７】
【課題を解決するための手段】
本発明に係る照明装置は、照明器具本体と、この照明器具本体の一方の端部に装着され、蛍光灯に電力を供給する口金接触部を有する第１のランプソケットと、前記照明器具本体の他方の端部に前記第１のランプソケットに対向するように装着され、蛍光灯に電力を供給する口金接触部を有する第２のランプソケットと、前記第１のランプソケットと前記第２のランプソケットとを結ぶ直線上に装着され、両面に蛍光灯に電力を供給する口金接触部を有する両面ランプソケットとを備えたものである。
【０００８】
【発明の実施の形態】
実施の形態１．
図１は発明の実施の形態１における照明装置の構成を示す図である。図に示すように、照明器具本体１には４本の蛍光灯２が２本ずつ２列に配置されている。２本の蛍光灯２を同一直線上に取り付けるために、照明器具本体１の長手方向の両端部に設けられたランプソケット３ａ同士を結ぶ直線の略中央部には、両面ランプソケット４ａが設けられており、ランプソケット３ａと両面ランプソケット４ａとでランプソケット列が構成されている。両面ランプソケット４ａはランプソケット取付台座５とその両面に取り付けられたランプソケット３ｂから構成されている。
【０００９】
照明器具本体１の長手方向の一方の端部に設けられた第１のランプソケット３ａとそのランプソケット３ａに対向して設けられた両面ランプソケット４ａの一方のランプソッケット３ｂとにより１本の蛍光灯２の両端部（以下、「口金」という。）が挟持されて蛍光灯２が取り付けられる。同様に、照明器具本体１の長手方向の他方の端部に設けられた第２のランプソケット３ａ（図示しないが第１のランプソケット３ａと構成は同じ）とそのランプソケット３ａに対向する両面ランプソケット４ａの他方のランプソケット３ｂとにより蛍光灯２が取り付けられ、２本の蛍光灯２が同一直線上に取り付けられることになる。さらに、このように同一直線上に取り付けられた２本の蛍光灯２を２列平行に配置している。なお、照明器具本体１の内側には反射板があり、図示しないが反射板の中には蛍光灯２を点灯するための点灯装置が内臓されている。
【００１０】
図２は両面ランプソケット４ａの拡大図であり、図２（ａ）はランプソケット取付台座５とランプソケット３ｂとを分解した図、図２（ｂ）はランプソケット取付台座５にランプソケット３ｂを取り付けた図である。
【００１１】
図２（ａ）に示すように、ランプソケット３ｂは蛍光灯２の口金と接触する口金接触部６を有する。この口金接触部６は蛍光灯２の端部にある電極（以下、「口金ピン」という。）との電気接触部を介して蛍光灯２へ電力を供給するとともに、口金ピンを口金接触部６に挿入したとき口金接触部６の面に対して横方向へ外れるのを抑制する機能を有している。また、取付部材７はランプソケットボディ部８の両側面から口金接触部６とは逆の方向へ突出し、その先端部には係止部９を有している。
【００１２】
図示しないが、照明器具本体１の両端に設けられたランプソケット３ａも蛍光灯２の口金と接触する口金接触部６を有し、一対のランプソケット３ａ、３ｂで１本の蛍光灯２の両端の口金を狭持して、照明器具本体１の長手方向に対して蛍光灯２が外れるのを抑制し、照明器具本体１内に蛍光灯２を固定している。
【００１３】
次にランプソケット取付台座５について説明する。図２（ａ）に示すように、ランプソケット取付台座５は側面形状が凸字状となるように板金を折り曲げて形成されている。ランプソケット取付台座５の側面形状を凸字状にするために、板金の略中央に平面部１０を残して両端部を垂直に折り曲げランプソケット取付面１１を形成し、ランプソケット取付面１１同士は互いに平行となっている。さらに、ランプソケット取付面１１の端部を外方向へそれぞれ垂直に折り曲げ、取付面１２を形成している。平面部１０とランプソケット取付面１１の境界である折曲部とランプソケット取付面１１と取付面１２の境界である折曲部とは略平行となっている。
【００１４】
ランプソケット取付面１１には、ランプソケット取付部材７を挿入し係止部９を係止めして固定するための取付穴１３を設けている。取付面１２にはランプソケット取付台座５を照明器具本体１へネジなどで固定するための取付穴１４を設けている。
【００１５】
なお、照明器具本体１に取り付けたとき化粧面となる平面１０が平面の場合を説明したが、曲面であってもよい。また、板金を曲げ加工してランプソケット取付台座５を構成したが、樹脂などで成形してもよい。
【００１６】
両面ランプソケット４ａの照明器具本体１への取り付けは、まずランプソケット取付台座５を照明器具本体１の天板部の略中央部分に固定することにより行なう。ランプソケット取付面１１が照明器具本体１の長手方向と直交するようにランプソケット取付台座５を照明器具本体１の天板部の略中央部分に位置させ、取付面１２をネジで固定する。なお、ランプソケット取付台座５を照明器具本体１に固定できればよく、固定の方法はネジに限定しない。
【００１７】
次に、取り付けたランプソケット取付台座５のランプソケット取付面１１の取付穴１３にランプソケット３ｂの側面より突出した取付部材７を挿入し、ランプソケット３ｂをランプソケット取付台座５に固定する。
【００１８】
ランプソケット３ａは、照明器具本体１の長手方向両端部に設けられた取付穴（図示しない）にランプソケット３ａの側面から突出した取付部材７を挿入することにより照明器具本体１に取り付ける。
【００１９】
なお、本実施の形態のランプソケット３ａ、３ｂは、同一の形状とし、取付部材７を２本としたが、これに限らずランプソケット取付台座５あるいは照明器具本体１の両端部に固定できればよく、取付部材７を３本としてもよいし、あるいはネジ止め用の取付穴などを設けてもよい。また、ランプソケット３ａと３ｂとを異なる方法で固定するようにしてもよい。
【００２０】
蛍光灯２は、照明器具本体１に取り付けたランプソケット３ａの口金接触部６と、これと向かい合うようにランプソケット取付台座５に取り付けられたランプソケット３ｂの口金接触部６に、口金ピンをそれぞれ挿入し固定する。
【００２１】
次に、照明器具本体に取り付ける蛍光灯２の例について具体的に説明する。１１０Ｗタイプの蛍光灯（例えば三菱電機オスラム社製、型名ＦＬＲ１１０Ｈ・ＥＸ−Ｎ／ＡＥ）の全光束は９，０００ｌｍ、ランプ長は２，３６７ｍｍである。また高周波専用蛍光灯であるＨｆ３２Ｗタイプの蛍光灯２（例えば三菱電機オスラム社製、型名ＦＨＦ３２ＥＸ−ＮＦ）の全光束は４，９５０ｌｍ（高出力型）、ランプ長は１，１９８ｍｍとなっている。
【００２２】
つまりＨｆ３２Ｗタイプの蛍光灯２を２本同一直線上に並べると長さが２，３９６ｍｍとなり、１１０Ｗタイプの蛍光灯のランプ長とほぼ等しく、またＨｆ３２Ｗタイプの蛍光灯２を２本の全光束は９，９００ｌｍであるから、１１０Ｗタイプの蛍光灯１本よりも光束が得られる。
【００２３】
したがって、Ｈｆ３２Ｗタイプの蛍光灯２を２本同一直線上に配置することによって、照明器具本体１の外寸をほとんど変更することなく、また、光束をほとんど変えずに、既存の１１０Ｗタイプの照明器具との置き換えが可能となる。
【００２４】
また、Ｈｆ３２Ｗタイプの蛍光灯２は１１０Ｗタイプの蛍光灯より軽いため、蛍光灯を照明器具本体１へ固定するためのランプフォルダを必要とせずにランプソケット３ａ，３ｂの固定力で十分固定することができ、ランプ長が１１０Ｗタイプの蛍光灯より短いため、蛍光灯の交換作業などが容易になる。また、Ｈｆ３２Ｗタイプの蛍光灯２は１１０Ｗタイプの蛍光灯よりも環形が細いため、照明器具本体１を薄型にすることができる。
【００２５】
また、高出力型の点灯装置を用いてＨｆ３２Ｗタイプの蛍光灯２を点灯させて１１０Ｗタイプの蛍光灯と同等の光束を得ているが、仕様の異なる定格出力型の点灯装置を用いてＨｆ３２Ｗタイプの蛍光灯２を点灯させれば、１１０Ｗタイプの蛍光灯の光束より劣るが省エネ化を図ることができる。
【００２６】
また、点灯装置にランプ長が同じで定格の異なる蛍光灯２に適合した点灯装置（例えばＨｆ３２、ＦＬ４０、ＦＬＲ４０のいずれの蛍光灯２も点灯可能な点灯装置）を用いれば、コストの安価な蛍光灯（例えばＦＬ４０）や高い全光束の得られる蛍光灯（例えばＨｆ３２）などを選ぶことができ、ユーザーが蛍光灯２を選択する幅を広げることができる。
【００２７】
また、２灯用の点灯装置を２台用いた場合、蛍光灯２の配線パターンとしては、直列に配置された蛍光灯２を点灯させる配線、並列に配置された蛍光灯２を点灯させる配線、斜めに配置された蛍光灯２を点灯させる配線が可能となる。ここで、いずれか一方または両方の蛍光灯２が寿命末期などのとき点灯装置に配線された２灯の蛍光灯２がともに消灯する仕様であれば、上記の配線パターンによって２灯が消灯した場合の照明装置の見え方が異なる。例えば、直列に配置した蛍光灯２を点灯するように配線した場合は、全体の照度が落ちるが長手方向に対する明るさを維持でき、１１０Ｗタイプの蛍光灯を２本並列に配置して２台の点灯装置でそれぞれ点灯している照明装置と同じような点灯状態となる。
また並列に配置した蛍光灯２を点灯させる配線とした場合は、照明器具本体１の長手方向の一方よりの照度を維持することができ、Ｈｆ３２Ｗタイプの蛍光灯を２本並列に配置した照明装置を２台連結させた照明装置と同じような点灯状態となる。
また、斜めに配置した蛍光灯２を点灯させる配線とした場合は、斜めに配置された２灯が点灯することとなり、照度は落ちるが、照明装置の全体的な照度を維持することができる。
【００２８】
点灯装置には１灯用または４灯用などを用いてもよく、また寿命末期などとなった蛍光灯のみを消灯させるようにしてもよい。
【００２９】
また、本実施の形態においては、Ｈｆ３２Ｗタイプの蛍光灯について説明したが、、Ｈｆ３２Ｗタイプとは長さの異なる蛍光灯を用いてもよく、その場合には、使用する蛍光灯のランプ長に応じてランプソケット間の間隔や照明器具本体の寸法を決定すればよい。
【００３０】
なお、本実施の形態において４灯用照明器具について説明したが、図３に示すようにランプソケット３ａと１つの両面ランプソケット４ａから構成されるランプソケット列を１列として、２本の蛍光灯２を同一直線上に配置した２灯用照明器具としてもよい。また、ランプソケット取付台座５を同一直線上に２つ以上用いて、３灯用照明装置、６灯用照明装置などとしてもよいし、ランプソケット列を３列以上設けるようにしてもよい。
【００３１】
また、照明器具本体１は天井じか付け型照明器具としてもよいし、天井吊り下げ型照明器具などとしてもよい。
【００３２】
実施の形態２．
この実施の形態２においては、蛍光灯２のランプ長が異なる複数のランプ定格に対応した点灯装置を用いた他の実施の形態を説明する。図４は発明の実施の形態２における照明装置の構成を示す図であり、ランプソケット取付台座５を照明器具本体１の中央部より長手方向のいずれか一方にずらして配置した場合を示す。
【００３３】
例えば、ＦＬ３２Ｗタイプの蛍光灯２ａ（例えば三菱電機オスラム社製、型名ＦＬ３２ＳＤ）の全光束は１，９２０ｌｍ、ランプ長８３０ｍｍ、ＦＬ１５Ｗタイプの蛍光灯２ｂ（例えば三菱電機オスラム社製、型名ＦＬ１５Ｄ）の全光束は７５０ｌｍ、ランプ長４３６ｍｍ、ＦＬ３０Ｗタイプの蛍光灯２（例えば三菱電機オスラム社製、型名ＦＬ３０ＳＤ）の全光束は１，５５０ｌｍ、ランプ長６３０ｍｍである。したがって、ＦＬ３２Ｗタイプの蛍光灯２ａとＦＬ１５Ｗタイプの蛍光灯２ｂを合わせた長さは１，２６６ｍｍ、光束は２，６７０ｌｍとなる。また、ＦＬ３０Ｗタイプの蛍光灯２の２本分の長さは１，２６０ｍｍ、光束は３，１００ｌｍとなる。
【００３４】
この場合、ランプソケット取付台座５を照明器具本体１の長手方向に対する中央部に取り付けた場合、同形蛍光灯２（例えばＦＬ３０Ｗタイプの蛍光灯を２本）を接続することができ、照明器具本体１の長手方向に対する中央部からいずれか一方よりにランプソケット取付台座５を配置すれば、異なる出力の蛍光灯２ａ、２ｂ（例えばＦＬ３２ＷタイプとＦＬ１５Ｗタイプの蛍光灯）を組み合わせて使用することができる。つまり、ランプ長にあわせて照明器具本体１の長手方向両端間にランプソケット取付台座５を適宜固定すればよい。ランプソケット取付台座５は任意の位置へスライド可能な構成としてもよいし、使用可能な蛍光灯のランプ長に合わせて取付穴等を予め形成しておいてもよい。
【００３５】
ここで、例えばＦＬ３０Ｗの蛍光灯２を２本組み合わせた場合とＦＬ３２Ｗの蛍光灯２ａとＦＬ１５Ｗの蛍光灯２ｂを組み合わせた場合の組み合わせたランプ長の差は６ｍｍである。そこで、照明器具本体１またはランプソケット取付台座５とランプソケット３ａ、３ｂの間に弾性材（例えばバネ性を有する板金）を取り付ければ、ランプ長が若干異っていても弾性材の伸縮範囲内であれば一対のランプソケット３ａ、３ｂで蛍光灯２、２ａ、２ｂを狭持することができる。
【００３６】
同形蛍光灯２を使用すれば、複数の種類の異なる蛍光灯２を準備する必要がなくなり、異なる種類の蛍光灯２ａ、２ｂを使用すれば、光束は若干劣る（この場合ＦＬ３０Ｗ２灯と比較すると１３．９％減）ものの、消費電力を大幅に節電（この場合ＦＬ３０Ｗ２灯と比較すると２１．６％減）を図ることができる。
【００３７】
したがって、この実施の形態によれば、合計のランプ長がほぼ等しくなる組み合わせであれば、ユーザーが任意に蛍光灯を選択することができる。
【００３８】
なお、上記の説明においては、ＦＬ３０Ｗ、ＦＬ３２Ｗ及びＦＬ１５Ｗの蛍光灯について説明したが、これら蛍光灯に限らず他の蛍光灯を組み合わせてもよい。
【００３９】
実施の形態３．
図５はこの発明の実施の形態３における両面ランプソケット４ｂを示す図であり、図５（ａ）はランプソケット取付台座５とランプソケット３ｂとを分解した図、図５（ｂ）はランプソケット３ｂの側面図、図５（ｃ）はランプソケット取付台座５にランプソケット３ｂを取り付けた図である。
【００４０】
図に示すように、ランプソケットボディ部８の側面に取り付けた取付部材７ａ、７ｂは左右非対象な位置に設けられている。すなわち、ランプソケット３ｂの側面から見たときに取付部材７ａ、７ｂが重ならない異なる位置、例えばボディ右側面の取付部材７ａを高い位置に取り付け、左側面の取付部材７ｂを低い位置に取り付けられている。
【００４１】
取付部材７ａ、７ｂをこのように配置することにより、２つのランプソケット３ｂをランプソケット取付台座５の両面に取り付ける際、取付部材７ａ、７ｂが互い違いになり互いに干渉することがないし、ランプソケット取付台座５の厚さを片側から挿入される取付部材の長さまで薄くすることができる。なお、取付部材は２つに限らず、複数の取付部材を左右非対象に設ければ、同様の効果が得られる。
【００４２】
実施の形態４．
図６（ａ）は発明の実施の形態４における両面ランプソケット４ｃを示す図であり、図６（ｂ）はランプソケット３ｃを示す図である。両面ランプソケット４ｃは２つのランプソケット３ｃから構成されている。また、ランプソケット３ｃはランプソケットボディ部８の脚部から口金接触部６の方向へ突出する取付片１５を有しており、、ランプソケットボディ部８の側面形状をＬ字状となるように形成されている。取付片１５には照明器具本体１にネジなどで取り付けるための取付穴１６が形成されている。
【００４３】
両面ランプソケット４ｃの本体への取り付けは、次のように行う。まず、１つのランプソケット３ｃを照明器具本体１の所定の位置に固定する。次に、別のＬ字状のランプソケット３ｃを先に取り付けたランプソケット３ｃの隣に固定する。その際、口金接触部６とは反対側の面（以下、「裏面」という。）同士を向かい合わせにして、両面に口金接触部６が位置するように取り付ける。照明器具本体１への取り付け方は、先に取り付けたランプソケット３ｃと同様、ランプソケットボディ部８の脚部から突出した取付片１５に形成された取付穴１６を用いてネジなどで固定する。
【００４４】
なお、２つのランプソケット３ｃの裏面を接触するように照明器具本体１へ取り付ければ、蛍光灯２をランプソケット３ｃに装着したとき互いのランプソケット３ｃの裏面同士を押し合うようになるので、蛍光灯２に押される方向に対するランプソケット３ｃの強度を増加させることができる。
【００４５】
実施の形態５．
図７は発明の実施の形態５における両面ランプソケットを示す図である。図に示すように、この実施の形態における両面ランプソケット４ｄは両面に口金接触部６を有する一体のランプソケットである。ランプソケットボディ部８は両面に口金接触部６を設け、ランプソケットボディ部８の脚部から両方向へ取り付け片１５ａ、１５ｂを突出させランプソケットボディ部８の側面形状をＴ字状となるように形成されている。取付片１５ａ、１５ｂには照明器具本体１に取り付ける取付穴１６を備え、ネジなどで照明器具本体１へ固定する。
【００４６】
両面ランプソケット４ｄに照明器具本体１への取り付け片１５ａ、１５ｂを設け、ランプソケットボディ部８の両面に口金接触部６を設けたので、両面ランプソケット４ｄを照明器具本体１に取り付ける工程を減らすことができる。
【００４７】
また、ランプソケット３ｃの裏面の樹脂を減らすことができるので、実施の形態４の２つのランプソケット３を組み合わせた場合よりもランプソケット３ｄの厚さを薄くすることができる。
【００４８】
【発明の効果】
以上のように本発明によれば、照明器具本体と、この照明器具本体の一方の端部に装着され、蛍光灯に電力を供給する口金接触部を有する第１のランプソケットと、前記照明器具本体の他方の端部に前記第１のランプソケットに対向するように装着され、蛍光灯に電力を供給する口金接触部を有する第２のランプソケットと、前記第１のランプソケットと前記第２のランプソケットとを結ぶ直線上に装着され、両面に蛍光灯に電力を供給する口金接触部を有する両面ランプソケットとを備えたので、ランプ交換の作業を容易に行え、施工性のよい照明装置を得ることができる。
【図面の簡単な説明】
【図１】本発明の第１の実施の形態における照明装置の構成を示す図である。
【図２】本発明の第１の実施の形態における両面ランプソケットの拡大図である。
【図３】本発明の第１の実施の形態における他の照明装置の構成を示す図である。
【図４】本発明の第２の実施の形態における照明装置の構成を示す図である。
【図５】本発明の第３の実施の形態におけるランプソケットを示す図である。
【図６】本発明の第４の実施の形態におけるランプソケットを示す図である。
【図７】本発明の第５の実施の形態におけるランプソケットを示す図である。
【符号の説明】
１  照明器具本体、２、２ａ、２ｂ  蛍光灯、３ａ、３ｂ、３ｃ  ランプソケット、４ａ、４ｂ、４ｃ  両面ランプソケット、５  ランプソケット取付台座、６  口金接触部、７  取付部材、８  ランプソケットボディ部、９  係止部、１０  平面、１１  ランプソケット取付面、１２  取付面、１３、１４、１６  取付穴、１５、１５ａ、１５ｂ  取付片。
【図１】
2004355952.tif 000003
【図２】
2004355952.tif 000004
【図３】
2004355952.tif 000005
【図４】
2004355952.tif 000006
【図５】
2004355952.tif 000007
【図６】
2004355952.tif 000008
【図７】
2004355952.tif 000009